(57)【特許請求の範囲】
【請求項１】
第１の向きでシートが収納される第１のシート収納手段と、
前記第１の向きと直交する向きの第２の向きでシートが収納される第２のシート収納手段と、
前記第１及び第２のシート収納手段のいずれかから給送されたシートに画像を形成する画像形成手段と、
前記画像形成手段により画像形成された複数のシートを収納可能な複数のビンを有するソート手段と、
前記画像形成手段により画像形成されたシートを前記複数のビンの何れかに排出する排出手段と、
前記ソート手段の各ビンのシートの収納状態を判別する判別手段と、
前記判別手段の判別結果に基づいて前記第１及び第２のシート収納手段のいずれかを選択させシートを給送させる制御手段と、を有し、
前記制御手段は、
画像形成されたシートが既に排出されたビンに対して、新たに画像形成されるシートを排出する場合において、そのビンに対して最後に排出されたシートの給送源が前記第１のシート収納手段の場合に、前記新たに画像形成されるシートを前記第２のシート収納手段から給送させ、該シートに対して画像形成を行わせ、前記ビンに対して排出させ、
一方、そのビンに対して最後に排出されたシートの給送源が前記第２のシート収納手段の場合に、前記新たに画像形成されるシートを前記第１のシート収納手段から給送させ、該シートに対して画像形成を行わせ、前記ビンに対して排出させる、ことを特徴とする画像形成装置。
【請求項２】
前記判別手段は、前記ソート手段の各ビンに収納されているシートの向きの情報を各ビン毎に記憶するメモリを有し、前記制御手段は、前記メモリに記憶されているシートの向きの情報に基づいて前記第１及び第２のシートの収納手段のいずれかを前記画像形成手段に選択させるものであることを特徴とする請求項１記載の画像形成装置。
【請求項３】
前記画像形成手段により選択されるシートの向きに応じて画像を回転させる回転処理手段を更に有し、前記画像形成手段は、前記回転処理手段から出力された画像をシートに形成するものであることを特徴とする請求項１記載の画像形成装置。
【請求項４】
前記ソート手段のビンを指定する指定手段を更に有し、前記ソート手段は前記指定手段により指定されたビンにシートを収納させるものであることを特徴とする請求項１記載の画像形成装置。
【請求項５】
前記画像形成手段は、原稿の画像を読み取るリーダ手段，画像をファクシミリ受信するファクシミリ手段，記憶媒体に記憶されている画像を読み出すファイル手段，コンピュータから転送される画像を入力するインタフェース手段のいずれかから出力された画像をシートに形成するものであることを特徴とする請求項１記載の画像形成装置。
【請求項６】
シートに画像を形成する画像形成手段と、
前記画像形成手段により画像形成された複数のシートを収納可能な複数のビンを有するソート手段と、
前記画像形成手段により画像形成されたシートを前記複数のビンの何れかに排出する排出手段と、
前記ソート手段の各ビンのシートの収納状態を判別する判別手段と、
前記判別手段の判別結果に基づいて前記ソート手段のビンを、シート排出方向に対して直交する第１方向及び第２方向の何れかに、シフトさせるシフト手段とを有し、
前記シフト手段は、
画像形成されたシートが既に排出されたビンに対して、新たに画像形成されたシートを排出する場合において、そのビンに対して最後に排出されたシートが、前記第１方向にビンをシフトした状態で、該ビンに収納された場合に、前記新たに画像形成されたシートを、前記第２方向にビンをシフトした状態で、該ビンに収納させ、
一方、そのビンに対して最後に排出されたシートが、前記第２方向にビンをシフトした状態で、該ビンに収納された場合に、前記新たに画像形成されたシートを、前記第１方向にビンをシフトした状態で、該ビンに収納させる、ことを特徴とする画像形成装置。
【請求項７】
前記判別手段は、前記ソート手段の各ビンに収納されているシートの位置の情報を各ビン毎に記憶するメモリを有し、前記シフト手段は、前記メモリに記憶されているシートの位置の情報に基づいて前記ソート手段のビンをシフトさせるものであることを特徴とする請求項６記載の画像形成装置。
【請求項８】
前記ソート手段のビンを指定する指定手段を更に有し、前記ソート手段は、前記指定手段により指定されたビンにシートを収納させるものであることを特徴とする請求項６記載の画像形成装置。
【請求項９】
前記画像形成手段は、原稿の画像を読み取るリーダ手段，画像をファクシミリ受信するファクシミリ手段，記憶媒体に記憶されている画像を読み出すファイル手段，コンピュータから転送される画像を入力するインタフェース手段のいずれかから出力された画像をシートに形成するものであることを特徴とする請求項６記載の画像形成装置。
【請求項１０】
第１の向きでシートが収納される第１のシート収納手段と、
前記第１の向きと直交する向きの第２の向きでシートが収納される第２のシート収納手段と、
前記第１及び第２のシート収納手段のいずれかから給送されたシートに画像を形成する画像形成手段と、
前記画像形成手段により画像形成されたシートを積載するための複数のトレイを有し、シートをトレイ上に排出する排出手段と、
前記排出手段の各トレイ上におけるシートの積載位置をトレイ毎に判別する判別手段と、
前記判別手段の判別結果に基づいて前記第１及び第２のシート収納手段のいずれかを選択してシートを給送させる制御手段と、を有し、
前記制御手段は、
画像形成されたシートが既に排出されたトレイに対して、新たに画像形成されるシートを排出する場合において、そのトレイに対して最後に排出されたシートの給送源が前記第１のシート収納手段の場合に、前記新たに画像形成されるシートを前記第２のシート収納手段から給送させ、該シートに対して画像形成を行わせ、前記トレイに対して排出させ、
一方、そのトレイに対して最後に排出されたシートの給送源が前記第２のシート収納手段の場合に、前記新たに画像形成されるシートを前記第１のシート収納手段から給送させ、該シートに対して画像形成を行わせ、前記トレイに対して排出させる、ことを特徴とする画像形成装置。
【請求項１１】
前記判別手段は、前記排出手段の各トレイにおけるシートの向きの情報をトレイ毎に記憶するメモリを有し、前記制御手段は、前記メモリに記憶されているシートの向きの情報に基づいて、前記第１及び第２のシートの収納手段のいずれかを前記画像形成手段に選択させるものであることを特徴とする請求項１０記載の画像形成装置。
【請求項１２】
前記画像形成手段により選択されるシートの向きに応じて画像を回転させる回転処理手段を更に有し、前記画像形成手段は、前記回転処理手段から出力された画像をシートに形成するものであることを特徴とする請求項１０記載の画像形成装置。
【請求項１３】
前記排出手段のトレイを指定する指定手段を更に有し、前記排出手段は前記指定手段により指定されたトレイにシートを排出することを特徴とする請求項１０記載の画像形成装置。
【請求項１４】
前記画像形成手段は、原稿の画像を読み取るリーダ手段，画像をファクシミリ受信するファクシミリ手段，記憶媒体に記憶されている画像を読み出すファイル手段，コンピュータから転送される画像を入力するインタフェース手段のいずれかから出力された画像をシートに形成するものであることを特徴とする請求項１０記載の画像形成装置。
【請求項１５】
シートに画像を形成する画像形成手段と、
前記画像形成手段により画像形成されたシートを積載するための複数のトレイを有し、
トレイ上におけるシートの積載位置を第１の積載位置又は第２の積載位置に切り替えてシートをトレイ上に排出する排出手段と、
前記排出手段の各トレイ上におけるシートの積載位置をトレイ毎に判別する判別手段と、
前記判別手段の判別結果に基づいて、前記排出手段のトレイに既に積載されているシートの状態と異なる状態になるように、前記排出手段により排出されるべきシートのトレイ上の積載位置をシフトさせる制御を行う制御手段と、を有し、
前記制御手段は、
画像形成されたシートが既に排出された積載トレイに対して、新たに画像形成されたシートを排出する場合において、その積載トレイに対して最後に排出されたシートが、該積載トレイにおける前記第１の積載位置にて積載された場合に、前記新たに画像形成されたシートを、該積載トレイにおける前記第２の積載位置にて積載させ、
一方、その積載トレイに対して最後に排出されたシートが、該積載トレイにおける前記第２の積載位置にて積載された場合に、前記新たに画像形成されたシートを、該積載トレイにおける前記第１の積載位置にて積載させる、ことを特徴とする画像形成装置。
【請求項１６】
前記判別手段は、前記排出手段の各トレイ上におけるシートの積載位置の情報をトレイ毎に記憶するメモリを有し、前記制御手段は、前記メモリに記憶されているシートの積載位置の情報に基づいて、前記排出手段の各トレイ上におけるシートの積載位置をシフトさせる制御を行うことを特徴とする請求項１５記載の画像形成装置。
【請求項１７】
前記排出手段のトレイを指定する指定手段を更に有し、前記排出手段は、前記指定手段により指定されたトレイにシートを排出することを特徴とする請求項１５記載の画像形成装置。
【請求項１８】
前記画像形成手段は、原稿の画像を読み取るリーダ手段，画像をファクシミリ受信するファクシミリ手段，記憶媒体に記憶されている画像を読み出すファイル手段，コンピュータから転送される画像を入力するインタフェース手段のいずれかから出力された画像をシートに形成するものであることを特徴とする請求項１５記載の画像形成装置。
【請求項１９】
第１の向きでシートが収納される第１のシート収納手段と、前記第１の向きと直交する向きの第２の向きでシートが収納される第２のシート収納手段と、前記第１及び第２のシート収納手段のいずれかから給送されたシートに画像を形成する画像形成手段と、前記画像形成手段により画像形成された複数のシートを収納可能な複数のビンを有するソート手段と、前記画像形成手段により画像形成されたシートを前記複数のビンの何れかに排出する排出手段と、を有する画像形成装置の制御方法であって、
前記ソート手段の各ビンのシートの収納状態を判別する判別ステップと、
前記判別ステップの判別結果に基づいて前記第１及び第２のシート収納手段のいずれかを選択させシートを給送させる制御ステップと、を有し、
前記制御ステップは、
画像形成されたシートが既に排出されたビンに対して、新たに画像形成されるシートを排出する場合において、そのビンに対して最後に排出されたシートの給送源が前記第１のシート収納手段の場合に、前記新たに画像形成されるシートを前記第２のシート収納手段から給送させ、該シートに対して画像形成を行わせ、前記ビンに対して排出させ、
一方、そのビンに対して最後に排出されたシートの給送源が前記第２のシート収納手段の場合に、前記新たに画像形成されるシートを前記第１のシート収納手段から給送させ、該シートに対して画像形成を行わせ、前記ビンに対して排出させる、ことを特徴とする画像形成装置の制御方法。
【請求項２０】
シートに画像を形成する画像形成手段と、前記画像形成手段により画像形成された複数のシートを収納可能な複数のビンを有するソート手段と、
前記画像形成手段により画像形成されたシートを前記複数のビンの何れかに排出する排出手段と、を有する画像形成装置の制御方法であって、
前記ソート手段の各ビンのシートの収納状態を判別する判別ステップと、
前記判別ステップの判別結果に基づいて前記ソート手段のビンを、シート排出方向に対して直交する第１方向及び第２方向の何れかに、シフトさせる制御ステップとを有し、
前記制御ステップは、
画像形成されたシートが既に排出されたビンに対して、新たに画像形成されたシートを排出する場合において、そのビンに対して最後に排出されたシートが、前記第１方向にビンをシフトした状態で、該ビンに収納された場合に、前記新たに画像形成されたシートを、前記第２方向にビンをシフトした状態で、該ビンに収納させ、
一方、そのビンに対して最後に排出されたシートが、前記第２方向にビンをシフトした状態で、該ビンに収納された場合に、前記新たに画像形成されたシートを、前記第１方向にビンをシフトした状態で、該ビンに収納させる、ことを特徴とする画像形成装置の制御方法。
【請求項２１】
第１の向きでシートが収納される第１のシート収納手段と、
前記第１の向きと直交する向きの第２の向きでシートが収納される第２のシート収納手段と、前記第１及び第２のシート収納手段のいずれかから給送されたシートに画像を形成する画像形成手段と、前記画像形成手段により画像形成されたシートを積載するための複数のトレイを有し、シートをトレイ上に排出する排出手段と、を有する画像形成装置の制御方法であって、
前記排出手段の各トレイ上におけるシートの積載位置をトレイ毎に判別する判別ステップと、
前記判別ステップの判別結果に基づいて前記第１及び第２のシート収納手段のいずれかを選択してシートを給送させる制御ステップと、を有し、
前記制御ステップは、
画像形成されたシートが既に排出されたトレイに対して、新たに画像形成されるシートを排出する場合において、そのトレイに対して最後に排出されたシートの給送源が前記第１のシート収納手段の場合に、前記新たに画像形成されるシートを前記第２のシート収納手段から給送させ、該シートに対して画像形成を行わせ、前記トレイに対して排出させ、
一方、そのトレイに対して最後に排出されたシートの給送源が前記第２のシート収納手段の場合に、前記新たに画像形成されるシートを前記第１のシート収納手段から給送させ、該シートに対して画像形成を行わせ、前記トレイに対して排出させる、ことを特徴とする画像形成装置の制御方法。
【請求項２２】
シートに画像を形成する画像形成手段と、前記画像形成手段により画像形成されたシートを積載するための複数のトレイを有し、トレイ上におけるシートの積載位置を第１の積載位置又は第２の積載位置に切り替えてシートをトレイ上に排出する排出手段と、を有する画像形成装置の制御方法であって、
前記排出手段の各トレイ上におけるシートの積載位置をトレイ毎に判別する判別ステップと、
前記判別ステップの判別結果に基づいて、前記排出手段のトレイに既に積載されているシートの状態と異なる状態になるように、前記排出手段により排出されるべきシートのトレイ上の積載位置をシフトさせる制御を行う制御ステップと、を有し、
前記制御ステップは、
画像形成されたシートが既に排出された積載トレイに対して、新たに画像形成されたシートを排出する場合において、その積載トレイに対して最後に排出されたシートが、該積載トレイにおける前記第１の積載位置にて積載された場合に、前記新たに画像形成されたシートを、該積載トレイにおける前記第２の積載位置にて積載させ、
一方、その積載トレイに対して最後に排出されたシートが、該積載トレイにおける前記第２の積載位置にて積載された場合に、前記新たに画像形成されたシートを、該積載トレイにおける前記第１の積載位置にて積載させる、ことを特徴とする画像形成装置の制御方法。
【請求項２３】
前記画像形成装置は、原稿画像をコピーするコピー機能、及び、コンピュータからの画像データをプリントするプリント機能、及び、外部装置に画像データを送信する送信機能、及び、記憶装置に対する画像データの登録及び読出を可能にするファイル機能のうちの、少なくとも２つの機能を具備する複合機能の画像形成装置であることを特徴とする、請求項１９乃至２２の何れかに記載の画像形成装置の制御方法。
【発明の詳細な説明】
【０００１】
【産業上の利用分野】
本発明は、ファクシミリ等の画像通信手段と複数のビンを備えたシート後処理装置を有し、シート後処理装置のビンを指定可能にした画像形成装置に関するものである。
【０００２】
【従来の技術】
従来、ファクシミリ等の画像通信手段を備えた画像形成装置では、複数のビンを備えたシート後処理装置が接続されている場合、受信された画像をシートに記録し、シート後処理装置に排出するときに、シート後処理装置の指定したビンに排出することができなかった。
【０００３】
【発明が解決しようとする課題】
前述の従来例では、画像形成装置を複写装置として使用したり、プリンタとして使用したりした後に、ファクシミリ等の画像通信手段により画像を受信したとき、受信した画像を記録したシートをシート後処理装置の同じビンに排出してしまい、シート後処理装置のビン上で重なり、どのシートがファクシミリ等の画像通信手段により受信した画像のシートであるかわからなくなってしまうという重大な問題がある。
【０００４】
本発明は、この問題を解消するためなされたもので、画像形成装置を複写装置として使用したり、プリンタとして使用した後に、ファクシミリ等の画像通信手段で受信した画像を記録したシート状記録媒体を排出した場合に、シート後処理装置のビン上で他のシート状記録媒体と明確に区別できる画像形成装置を提供することを目的とするものである。
【０００５】
【課題を解決するための手段】
前記目的を達成するため、本発明では、画像形成装置を次の（１）ないし（１８）のとおりに構成し，画像形成装置の制御方法を次の（１９）ないし（２３）のとおりに構成する。
（１）第１の向きでシートが収納される第１のシート収納手段と、
前記第１の向きと直交する向きの第２の向きでシートが収納される第２のシート収納手段と、
前記第１及び第２のシート収納手段のいずれかから給送されたシートに画像を形成する画像形成手段と、
前記画像形成手段により画像形成された複数のシートを収納可能な複数のビンを有するソート手段と、
前記画像形成手段により画像形成されたシートを前記複数のビンの何れかに排出する排出手段と、
前記ソート手段の各ビンのシートの収納状態を判別する判別手段と、
前記判別手段の判別結果に基づいて前記第１及び第２のシート収納手段のいずれかを選択させシートを給送させる制御手段と、を有し、
前記制御手段は、
画像形成されたシートが既に排出されたビンに対して、新たに画像形成されるシートを排出する場合において、そのビンに対して最後に排出されたシートの給送源が前記第１のシート収納手段の場合に、前記新たに画像形成されるシートを前記第２のシート収納手段から給送させ、該シートに対して画像形成を行わせ、前記ビンに対して排出させ、
一方、そのビンに対して最後に排出されたシートの給送源が前記第２のシート収納手段の場合に、前記新たに画像形成されるシートを前記第１のシート収納手段から給送させ、該シートに対して画像形成を行わせ、前記ビンに対して排出させる画像形成装置。
（２）前記判別手段は、前記ソート手段の各ビンに収納されているシートの向きの情報を各ビン毎に記憶するメモリを有し、前記制御手段は、前記メモリに記憶されているシートの向きの情報に基づいて前記第１及び第２のシートの収納手段のいずれかを前記画像形成手段に選択させるものである前記（１）記載の画像形成装置。
（３）前記画像形成手段により選択されるシートの向きに応じて画像を回転させる回転処理手段を更に有し、前記画像形成手段は、前記回転処理手段から出力された画像をシートに形成するものである前記（１）記載の画像形成装置。
（４）前記ソート手段のビンを指定する指定手段を更に有し、前記ソート手段は前記指定手段により指定されたビンにシートを収納させるものである前記（１）記載の画像形成装置。
（５）前記画像形成手段は、原稿の画像を読み取るリーダ手段，画像をファ
クシミリ受信するファクシミリ手段，記憶媒体に記憶されている画像を読み出すファイル手段，コンピュータから転送される画像を入力するインタフェース手段のいずれかから出力された画像をシートに形成するものである前記（１）記載の画像形成装置。
（６）シートに画像を形成する画像形成手段と、
前記画像形成手段により画像形成された複数のシートを収納可能な複数のビンを有するソート手段と、
前記画像形成手段により画像形成されたシートを前記複数のビンの何れかに排出する排出手段と、
前記ソート手段の各ビンのシートの収納状態を判別する判別手段と、
前記判別手段の判別結果に基づいて前記ソート手段のビンを、シート排出方向に対して直交する第１方向及び第２方向の何れかに、シフトさせるシフト手段とを有し、
前記シフト手段は、
画像形成されたシートが既に排出されたビンに対して、新たに画像形成されたシートを排出する場合において、そのビンに対して最後に排出されたシートが、前記第１方向にビンをシフトした状態で、該ビンに収納された場合に、前記新たに画像形成されたシートを、前記第２方向にビンをシフトした状態で、該ビンに収納させ、
一方、そのビンに対して最後に排出されたシートが、前記第２方向にビンをシフトした状態で、該ビンに収納された場合に、前記新たに画像形成されたシートを、前記第１方向にビンをシフトした状態で、該ビンに収納させる画像形成装置。
（７）前記判別手段は、前記ソート手段の各ビンに収納されているシートの位置の情報を各ビン毎に記憶するメモリを有し、前記シフト手段は、前記メモリに記憶されているシートの位置の情報に基づいて前記ソート手段のビンをシフトさせるものである前記（６）記載の画像形成装置。
（８）前記ソート手段のビンを指定する指定手段を更に有し、前記ソート手段は、前記指定手段により指定されたビンにシートを収納させるものである前記（６）記載の画像形成装置。
（９）前記画像形成手段は、原稿の画像を読み取るリーダ手段，画像をファクシミリ受信するファクシミリ手段，記憶媒体に記憶されている画像を読み出すファイル手段，コンピュータから転送される画像を入力するインタフェース手段のいずれかから出力された画像をシートに形成するものである前記（６）記載の画像形成装置。
（１０）第１の向きでシートが収納される第１のシート収納手段と、
前記第１の向きと直交する向きの第２の向きでシートが収納される第２のシート収納手段と、
前記第１及び第２のシート収納手段のいずれかから給送されたシートに画像を形成する画像形成手段と、
前記画像形成手段により画像形成されたシートを積載するための複数のトレイを有し、シートをトレイ上に排出する排出手段と、
前記排出手段の各トレイ上におけるシートの積載位置をトレイ毎に判別する判別手段と、
前記判別手段の判別結果に基づいて前記第１及び第２のシート収納手段のいずれかを選択してシートを給送させる制御手段と、を有し、
前記制御手段は、
画像形成されたシートが既に排出されたトレイに対して、新たに画像形成されるシートを排出する場合において、そのトレイに対して最後に排出されたシートの給送源が前記第１のシート収納手段の場合に、前記新たに画像形成されるシートを前記第２のシート収納手段から給送させ、該シートに対して画像形成を行わせ、前記トレイに対して排出させ、
一方、そのトレイに対して最後に排出されたシートの給送源が前記第２のシート収納手段の場合に、前記新たに画像形成されるシートを前記第１のシート収納手段から給送させ、該シートに対して画像形成を行わせ、前記トレイに対して排出させる画像形成装置。
（１１）前記判別手段は、前記排出手段の各トレイにおけるシートの向きの情報をトレイ毎に記憶するメモリを有し、前記制御手段は、前記メモリに記憶されているシートの向きの情報に基づいて、前記第１及び第２のシートの収納手段のいずれかを前記画像形成手段に選択させるものである前記（１０）記載の画像形成装置。
（１２）前記画像形成手段により選択されるシートの向きに応じて画像を回転させる回転処理手段を更に有し、前記画像形成手段は、前記回転処理手段から出力された画像をシートに形成するものである前記（１０）記載の画像形成装置。
（１３）前記排出手段のトレイを指定する指定手段を更に有し、前記排出手段は前記指定手段により指定されたトレイにシートを排出する前記（１０）記載の画像形成装置。
（１４）前記画像形成手段は、原稿の画像を読み取るリーダ手段，画像をファクシミリ受信するファクシミリ手段，記憶媒体に記憶されている画像を読み出すファイル手段，コンピュータから転送される画像を入力するインタフェース手段のいずれかから出力された画像をシートに形成するものである前記（１０）記載の画像形成装置。
（１５）シートに画像を形成する画像形成手段と、
前記画像形成手段により画像形成されたシートを積載するための複数のトレイを有し、
トレイ上におけるシートの積載位置を第１の積載位置又は第２の積載位置に切り替えてシートをトレイ上に排出する排出手段と、
前記排出手段の各トレイ上におけるシートの積載位置をトレイ毎に判別する判別手段と、
前記判別手段の判別結果に基づいて、前記排出手段のトレイに既に積載されているシートの状態と異なる状態になるように、前記排出手段により排出されるべきシートのトレイ上の積載位置をシフトさせる制御を行う制御手段と、を有し、
前記制御手段は、
画像形成されたシートが既に排出された積載トレイに対して、新たに画像形成されたシートを排出する場合において、その積載トレイに対して最後に排出されたシートが、該積載トレイにおける前記第１の積載位置にて積載された場合に、前記新たに画像形成されたシートを、該積載トレイにおける前記第２の積載位置にて積載させ、
一方、その積載トレイに対して最後に排出されたシートが、該積載トレイにおける前記第２の積載位置にて積載された場合に、前記新たに画像形成されたシートを、該積載トレイにおける前記第１の積載位置にて積載させる画像形成装置。
（１６）前記判別手段は、前記排出手段の各トレイ上におけるシートの積載位置の情報をトレイ毎に記憶するメモリを有し、前記制御手段は、前記メモリに記憶されているシートの積載位置の情報に基づいて、前記排出手段の各トレイ上におけるシートの積載位置をシフトさせる制御を行う前記（１５）記載の画像形成装置。
（１７）前記排出手段のトレイを指定する指定手段を更に有し、前記排出手段は、前記指定手段により指定されたトレイにシートを排出する前記（１５）記載の画像形成装置。
（１８）前記画像形成手段は、原稿の画像を読み取るリーダ手段，画像をファクシミリ受信するファクシミリ手段，記憶媒体に記憶されている画像を読み出すファイル手段，コンピュータから転送される画像を入力するインタフェース手段のいずれかから出力された画像をシートに形成するものである前記（１５）記載の画像形成装置。
（１９）第１の向きでシートが収納される第１のシート収納手段と、前記第１の向きと直交する向きの第２の向きでシートが収納される第２のシート収納手段と、前記第１及び第２のシート収納手段のいずれかから給送されたシートに画像を形成する画像形成手段と、前記画像形成手段により画像形成された複数のシートを収納可能な複数のビンを有するソート手段と、前記画像形成手段により画像形成されたシートを前記複数のビンの何れかに排出する排出手段と、を有する画像形成装置の制御方法であって、
前記ソート手段の各ビンのシートの収納状態を判別する判別ステップと、
前記判別ステップの判別結果に基づいて前記第１及び第２のシート収納手段のいずれかを選択させシートを給送させる制御ステップと、を有し、
前記制御ステップは、
画像形成されたシートが既に排出されたビンに対して、新たに画像形成されるシートを排出する場合において、そのビンに対して最後に排出されたシートの給送源が前記第１のシート収納手段の場合に、前記新たに画像形成されるシートを前記第２のシート収納手段から給送させ、該シートに対して画像形成を行わせ、前記ビンに対して排出させ、
一方、そのビンに対して最後に排出されたシートの給送源が前記第２のシート収納手段の場合に、前記新たに画像形成されるシートを前記第１のシート収納手段から給送させ、該シートに対して画像形成を行わせ、前記ビンに対して排出させる画像形成装置の制御方法。
（２０）シートに画像を形成する画像形成手段と、前記画像形成手段により画像形成された複数のシートを収納可能な複数のビンを有するソート手段と、
前記画像形成手段により画像形成されたシートを前記複数のビンの何れかに排出する排出手段と、を有する画像形成装置の制御方法であって、
前記ソート手段の各ビンのシートの収納状態を判別する判別ステップと、
前記判別ステップの判別結果に基づいて前記ソート手段のビンを、シート排出方向に対して直交する第１方向及び第２方向の何れかに、シフトさせる制御ステップとを有し、
前記制御ステップは、
画像形成されたシートが既に排出されたビンに対して、新たに画像形成されたシートを排出する場合において、そのビンに対して最後に排出されたシートが、前記第１方向にビンをシフトした状態で、該ビンに収納された場合に、前記新たに画像形成されたシートを、前記第２方向にビンをシフトした状態で、該ビンに収納させ、
一方、そのビンに対して最後に排出されたシートが、前記第２方向にビンをシフトした状態で、該ビンに収納された場合に、前記新たに画像形成されたシートを、前記第１方向にビンをシフトした状態で、該ビンに収納させる画像形成装置の制御方法。
（２１）第１の向きでシートが収納される第１のシート収納手段と、
前記第１の向きと直交する向きの第２の向きでシートが収納される第２のシート収納手段と、前記第１及び第２のシート収納手段のいずれかから給送されたシートに画像を形成する画像形成手段と、前記画像形成手段により画像形成されたシートを積載するための複数のトレイを有し、シートをトレイ上に排出する排出手段と、を有する画像形成装置の制御方法であって、
前記排出手段の各トレイ上におけるシートの積載位置をトレイ毎に判別する判別ステップと、
前記判別ステップの判別結果に基づいて前記第１及び第２のシート収納手段のいずれかを選択してシートを給送させる制御ステップと、を有し、
前記制御ステップは、
画像形成されたシートが既に排出されたトレイに対して、新たに画像形成されるシートを排出する場合において、そのトレイに対して最後に排出されたシートの給送源が前記第１のシート収納手段の場合に、前記新たに画像形成されるシートを前記第２のシート収納手段から給送させ、該シートに対して画像形成を行わせ、前記トレイに対して排出させ、
一方、そのトレイに対して最後に排出されたシートの給送源が前記第２のシート収納手段の場合に、前記新たに画像形成されるシートを前記第１のシート収納手段から給送させ、該シートに対して画像形成を行わせ、前記トレイに対して排出させる画像形成装置の制御方法。
（２２）シートに画像を形成する画像形成手段と、前記画像形成手段により画像形成されたシートを積載するための複数のトレイを有し、トレイ上におけるシートの積載位置を第１の積載位置又は第２の積載位置に切り替えてシートをトレイ上に排出する排出手段と、を有する画像形成装置の制御方法であって、
前記排出手段の各トレイ上におけるシートの積載位置をトレイ毎に判別する判別ステップと、
前記判別ステップの判別結果に基づいて、前記排出手段のトレイに既に積載されているシートの状態と異なる状態になるように、前記排出手段により排出されるべきシートのトレイ上の積載位置をシフトさせる制御を行う制御ステップと、を有し、
前記制御ステップは、
画像形成されたシートが既に排出された積載トレイに対して、新たに画像形成されたシートを排出する場合において、その積載トレイに対して最後に排出されたシートが、該積載トレイにおける前記第１の積載位置にて積載された場合に、前記新たに画像形成されたシートを、該積載トレイにおける前記第２の積載位置にて積載させ、
一方、その積載トレイに対して最後に排出されたシートが、該積載トレイにおける前記第２の積載位置にて積載された場合に、前記新たに画像形成されたシートを、該積載トレイにおける前記第１の積載位置にて積載させる画像形成装置の制御方法。
（２３）前記画像形成装置は、原稿画像をコピーするコピー機能、及び、コンピュータからの画像データをプリントするプリント機能、及び、外部装置に画像データを送信する送信機能、及び、記憶装置に対する画像データの登録及び読出を可能にするファイル機能のうちの、少なくとも２つの機能を具備する複合機能の画像形成装置である前記（１９）乃至（２２）の何れかに記載の画像形成装置の制御方法。
【００２７】
【実施例】
以下本発明の実施例を説明する。
【００２８】
図１は本発明の一実施例である画像形成装置の構成を示すブロック図である。
【００２９】
図１において、リーダ部１は、第１の画像入力手段として機能し、原稿を画像データに変換する。プリンタ部２は、画像出力手段として機能するための複数種類の記録紙カセットを有し、プリント命令により画像データを記録紙上に可視像として出力する。外部装置３は、前記リーダ部１と電気的に接続されており、各種の機能を有する。第２の画像入力手段として機能する外部装置３には、ファクシミリ部４，ファイル部５，このファイル部５と接続されている外部記憶装置６，コンピュータおよびＬＡＮと接続するためのコンピュータインタフェース部７，コンピュータからのコード情報を画像情報に変換するフォーマッタ部８，リーダ部１からの情報を蓄積したり、コンピュータから送られてきた情報を一時的に蓄積するためのイメージメモリ部９および前述の各機能処理を制御するコア部１０等を備えている。また、ＣＯＮＴ１はリーダ制御部、ＣＯＮＴ２はプリンタ制御部で、外部装置３のコア部と通信可能に構成されており、ＣＰＵ，ＲＯＭ，ＲＡＭ等を備えている。
【００３０】
図２は、図１に示したリーダ部１およびプリンタ部２の構成を説明する断面図である。以下、構成および動作について説明する。
【００３１】
原稿給送装置１０１上に積載された原稿は、原稿給送装置１０１によって１枚ずつ順次原稿台ガラス面１０２上に搬送される。原稿がガラス面１０２の所定位置へ搬送されると、スキャナ部のランプ１０３が点灯し、かつスキャナ・ユニット１０４が移動して原稿を照射する。原稿の反射光は、ミラー１０５，１０６，１０７，レンズ１０８を介してＣＣＤイメージ・センサ１０９（以下、ＣＣＤという）に入力する。
【００３２】
また、画像処理部１１０では、ＣＣＤ１０９から入力した画像情報に対して各種操作部で設定された画像処理が施される。また、画像処理部１１０は画像メモリを有し、画像の出力方向を回転する機能も備えている。画像の回転処理は後述するフォーマッタ部８の処理と同様である。
【００３３】
なお、画像処理部１１０の外部切換え回路は、リーダ部１からの信号をプリンタ部２または外部装置３へ切り換えるセレクタを備えており、リーダ部１からの画像情報と、外部装置３からの画像情報のいずれかを選択してプリンタ部２に接続する機能も備えている。
【００３４】
また、画像処理部１１０の外部切り換え回路を介して、プリンタ部２へ入力された画像情報は、露光制御部２０１にて変調された光信号に変換されて感光体２０２に照射される。照射光によって感光体２０２上に作られた潜像は、現像器２０３によって現像される。この潜像の先端とタイミングを合わせて、シート積載部２０４またはシート積載部２０５よりシートが搬送され、転写部２０６において、前述の現像された像が給送されたシート上に転写される。転写された像は定着部２０７にてシートに定着された後、排紙部２０８より装置外部に排出される。排紙部２０８から排出されたシートは、ソータ２２０の各ビン２２０−１に排出される。その際排出ビンが指定されている場合は、指定された排出ビンにシートが排出されるようにソータ２２０は制御される。また、ソータ２２０がそれぞれの排紙ビン２２０−１にシート検出センサ２２０−２を持ち、各ビンにシートが排出されているか検出できる。また、ソータ２２０はソータ２２０の各ビン２２０−１に何枚の紙が排出されているか各ビン毎にカウントするよう構成されている。このカウント値はシート検出センサ２２０−２がシート有からシート無に変化したことに応じて０にリセットされる。また、ソータ２２０の各ビン２２０−１にどんなサイズの紙が排出されているかもビン毎に記憶するよう構成されている。
【００３５】
続いて、順次読み込むまたは入力する画像情報をシートの両面にプリントする場合について説明する。
【００３６】
定着部２０７で定着されたシートを、一度、排紙部２０８まで搬送後、シートの搬送向きを反転して搬送方向切換え部材２０９を介して再給紙用シート積載部２１０に搬送する。次の原稿が準備されると、前述のプロセスと同様にして原稿画像が読み取られるとともに再給紙用シート積載部２１０より給紙したシートにこの原稿画像をプリントすることにより、同一シートの表面，裏面に２つの原稿画像をプリントすることができる。
【００３７】
図１に示すように、外部装置３は、リーダ部１とケーブルで接続され、外部装置３内のコア部１０で信号の制御や、各機能の制御を行う。外部装置３内には、ファクシミリ送受信を行うファクシミリ部４，原稿画像情報を光磁気ディスクに保存するファイル部５，コンピュータからのコード情報をイメージ情報に展開するフォーマッタ部８，ＬＡＮおよびコンピュータとのインタフェースを行うコンピュータ・インタフェース部７，リーダ部１からの情報を蓄積したり、コンピュータから送られてきた情報を一時的に蓄積するためのイメージメモリ部９および前述の各機能を制御するコア部１０からなる。
【００３８】
図３は、図１に示したリーダ部１に配設されている操作パネルの一例を示す平面図である。
【００３９】
図３において、３０１は表示部であり、動作状態，メッセージを表示する。また、表示部３０１の表面はタッチパネルになっていて、表面を触れることにより選択キーとして機能する。３０２はテンキーであり、数字を入力するキーである。３０３はスタートキーであり、このキーを押下することにより動作を開始する。
【００４０】
以下、図４〜図１０に示すフローチャートを参照しながら本実施例の画像形成装置における各機能処理動作について説明する。
【００４１】
図４〜図９は本実施例の画像形成装置における各機能処理手順の一例を示すフローチャートである。なお、各図のＳ１……はステップを示す。
【００４２】
まず、電源投入後、図４の初期設定が行われる（Ｓ１）。操作パネルの表示部３０１に動作モード選択キーが表示され、選択キーの上のパネルが触れられることにより、モードが選択される。選択されたモードがコピーモードかどうかを判定され（Ｓ２）、コピーモードのときは、図５のＳ１１に移行する。
【００４３】
一方、Ｓ２の判定でコピーモードが選択されていないと判定された場合は、ファクシミリ送信モードが選択されているかどうかを判定し（Ｓ３）、ファクシミリ送信モードのときは、図６に示すＳ２１に移行する。
【００４４】
一方、Ｓ３の判定でファクシミリ送信モードが選択されていないと判定された場合は、ファイルモードが選択されているかどうかを判定し（Ｓ４）、ファイルモードのときは、図７に示すＳ３１に移行する。
【００４５】
一方、Ｓ４の判定でファイルモードが選択されていないと判定された場合には、コンピュータ・インタフェース部７からの入力モードが選択されているかどうかを判定し（Ｓ５）、入力モードが選択されている場合には、図８に示すＳ４１に移行する。
【００４６】
一方、Ｓ５の判定で入力モードが選択されていないと判定された場合には、ファクシミリ受信モードが選択されているかどうかを判定し（Ｓ６）、ファクシミリ受信モードが選択されている場合には、図９に示すＳ５１に移行する。
【００４７】
一方、Ｓ６の判定で、ファクシミリ受信モードが選択されていないと判定された場合には、ソータ２２０のビン指定要求モードが選択されているかどうかを判定し（Ｓ７）、ソータ２２０のビン指定要求モードが選択されている場合には、図１０に示すＳ６１に移行する。
【００４８】
一方、Ｓ７の判定でソータ２２０のビン指定要求モードが選択されていない場合には、Ｓ２に戻り、同様の処理を繰り返す。
【００４９】
また、図４に示されたＳ２の判定でコピーモードが選択されていた場合には、図５に示すフローを開始し、まず、コピー動作の初期化設定が行われ（Ｓ１１）、操作パネルより入力されるキーを読み込みコピー条件を設定し（Ｓ１２）、スタートキー３０３の入力を待つ（Ｓ１３）。スタートキー３０３が押下されると、リーダ部１で原稿を読み取り（Ｓ１４）、プリンタ部２で印刷を行う（Ｓ１５）。そして、印刷を終了すると、初期設定のため、図４に示したＳ１に戻る。
【００５０】
さらに、図４に示したＳ３の判定でファクシミリ送信モードが選択されていた場合には、図６に示すフローを開始し、まず、ファクシミリ送信の初期設定が行われ（Ｓ２１）、操作パネルより入力されるキーを読み込みファクシミリ送信条件を設定し（Ｓ２２）、スタートキー３０３の入力を待機する（Ｓ２３）。
【００５１】
Ｓ２２での送信条件の設定において、送信される画像データがプリントされたシートを送信相手のソータのどのビンに排出させるかを設定することが可能である。
【００５２】
スタートキー３０３が押下されると、リーダ部１より原稿を読み取り（Ｓ２４）、画像データをファクシミリ部４に送る。ファクシミリ部４は設定された様式と決められたプロトコルに従ってファクシミリ送信を行い（Ｓ２５）、送信終了後、図４に示したＳ１に戻る。
【００５３】
また、画像データを送信する以前の初期通信の際に、送信する相手がソータを具備しているかどうかの情報交換を行い、ソータを具備している場合には、ソータのどのビンに排出させるかを指定するビン情報を送信する。
【００５４】
また、図４に示したＳ４の判定でファイルモードが選択されていた場合には、図７に示すフローを開始し、まず、ファイル操作の初期化設定が行われる（Ｓ３１）。操作パネルにファイル記録かそれともファイル検索かのモード選択を表示し、操作者からのキー入力を待機する（Ｓ３２）。次いで、記録キーが選択された場合には、記録条件設定を行い（Ｓ３３）、リーダ部１より原稿を読み込み（Ｓ３４）、ファイル部５にデータを送り、ファイル部５の外部記憶装置６に記録する（Ｓ３５）。
【００５５】
一方、Ｓ３２でファイル検索キーが選択された場合には、検索条件設定が行われ（Ｓ３６）、外部記憶装置６よりファイルの検索が行われ（Ｓ３７）、結果が出力される（Ｓ３８）。そして、ファイル記録またはファイル検索終了後、初期設定のため、図４に示したＳ１に戻る。
【００５６】
さらに、図４に示したＳ５の判定で外部からコマンドデータが入力された場合には、図８に示すフローを開始し、まず、コマンドをコンピュータ・インタフェース部７で受理し（Ｓ４１）、コア部１０を経由してデータをフォーマッタ部８に送り解釈し、ビットマップメモリ上に情報を展開する（Ｓ４２）。続いて、Ｓ４３の処理では、プリンタ部２が動作中かどうかを判断し、動作が終了するのを待機し、動作が終了すると、適切なシートを選択し、シートの給紙を開始する（Ｓ４４）。シート積載部（用紙カセット）２０４，２０５からシートが給紙されて転写部２０６に移動する。ここで、Ｓ４２の処理でビットマップメモリに展開した画像を、用紙の向き，サイズ等の情報により、後述する手法で画像の回転処理を行い読み出す。読み出された画像情報は露光制御部２０１へ送られ、前述した印刷処理を行い（Ｓ４５）、印刷終了後、続いてデータ出力後，初期設定のため図４に示したＳ１に戻る。
【００５７】
次に、図１１を参照しながら、本実施例における画像回転読出し処理動作について説明する。図８に示したステップＳ４２の処理でビットマップメモリに展開された画像は図１１に示すように読み出される。
【００５８】
本実施例のビットマップ展開例では、Ａ４のサイズの例で、縦２９７ｍｍに画素数４６２２、横２１０ｍｍに対する画素数３２９６のビットマップとなる。
【００５９】
まず、回転しないで読み出す場合には、図１に示したフォーマッタ部８の回転制御部が図１１の（ａ）に示すように、「０，０」→「０，４６２２」→「１，０」→「１，４６２２」の方向に順に読み出す。
【００６０】
一方、１８０度回転して読み出す場合は、図１に示したフォーマッタ部８の回転制御部が図１１の（ｂ）に示すように、同図（ａ）とは逆に、「３２９６，４６２２」→「３２９６，０」→「３２９５，４６２２」→「３２９５，０」の方向に順に読み出す。
【００６１】
一方、−９０度回転して読み出す場合は、図１に示したフォーマッタ部８の回転制御部が図１１の（ｃ）に示すように、読み出す方向を縦横入れ換え、「０，４６２２」→「３２９６，４６２２」→「０，４６２１」→「３２９６，４６２１」の方向に順に読み出す。
【００６２】
一方、９０度回転して読み出す場合は、図１に示したフォーマッタ部８の回転制御部が図１１の（ｄ）に示すように、読み出す方向を縦横入れ換え、「３２９６，０」→「０，０」→「３２９６，１」→「０，１」の方向に順に読み出す。
【００６３】
このような回転処理機能はフォーマッタ部８以外にもイメージメモリ部９，リーダ部１にもある。また、プリンタ部２はこの回転処理の内容に応じた向きのシートを選択してこのシートにプリントする。
【００６４】
また、図４に示したＳ６の判定でファクシミリ受信と判定された場合には、図９に示すフローを開始し、まず、ファクシミリ受信がファクシミリ部４で行われ（Ｓ５１）、プリンタ部２が動作中かどうかを判定し（Ｓ５２）、動作中でなければ、ファクシミリ用のソータの指定ビン要求が有るかどうかを判定し（Ｓ５３）、指定ビン要求がなければ、プリンタ部２にデータが送られ印刷し、ソータの空ビンまたは最上ビンにプリントされたシートを排出する。
【００６５】
一方、Ｓ５３の判定で、ファクシミリ用のソータの指定ビン要求有りが受信された場合は、ソータ２２０にファクシミリ受信データを排出する開始ビンを要求し（Ｓ５４）、ソータ２２０の移動終了を待つ（Ｓ５５）。ソータ２２０の移動終了後、プリンタ部２にデータが送られ、印刷される。
【００６６】
一方、Ｓ５２の判定で、プリンタ部２が動作中であると判定された場合には、ファクシミリ部４のハードディスク（ＨＤ）に記憶され（Ｓ５７）、プリンタ部２が動作中でないときにプリンタ部２よりプリントアウトされる。そしてプリント終了後、初期設定のため図４に示したＳ１に戻る。
【００６７】
また、図４に示したＳ７の判定で、ソータのビン指定要求モードが選択された場合は、図１０に示すフローを開始し、ソータのビン指定の旨をＬＣＤ３０１に表示し使用者によるキー入力を促す（Ｓ６１）。その後、テンキー入力（３０２の０〜９ボタン）が入ったかどうかを判定し（Ｓ６２）、テンキー入力があった場合には、入力された番号をＲＡＭバッファに記憶する（Ｓ６３）。ステップＳ６２の判断でテンキー入力がない場合には、＃キー入力が入ったかどうかを判定し（Ｓ６４）、入らない場合はステップＳ６２の判断に戻る。
【００６８】
この装置は、各ビンにおける最終排出シートの状態を示すデータ（シートの向きまたはシートの位置）は各ビン毎にＲＡＭに記憶できるように構成されており、この記憶されているデータに基づいて、指定されたビンに既に排出されているシートの状態と異なる状態になるようにシートの選択またはソータビンのシフトを制御する。シートの向きを変える制御を行う場合には、シート積載部２０４にはＡ４シート（短手方向搬送）をセットし、シート積載部２０５にはＡ４Ｒシート（長手方向搬送）をセットしておき、いずれかを選択してシートを給送する。
【００６９】
一方、Ｓ６４の判定で＃キー入力があった場合は、テンキー入力、即ちソータの指定ビン入力を確定し、ビン番号をＲＡＭに記憶する（Ｓ６５）。なお、ビンの指定は操作パネル以外にもコンピュータインタフェース部７を介して接続されたコンピュータやファクシミリ部４を介して接続される送信側ファクシミリなどからも可能である。このソータの指定ビンは受信者や送信者に対応させてもよいし、コピーやファクシミリなどの機能に対応させてもよい。ステップＳ６５の記憶の後、図４に示したＳ１に戻る。
【００７０】
以上のモードを操作パネルの選択キーで選択するか、ファクシミリ部４にて受信するか、コンピュータ・インタフェース部７にて外部からのコマンドを検出することに応じてモード選択して、選択されたモードの動作を行う。
【００７１】
なお、これらの動作は同時に組み合わせて動作できるもの、また、同時に独立して動作できるものもあり、優先順位の設定等コア部１０にて制御する。
【００７２】
また図１２を用いて、指定されたソータのビンに既に排紙された紙が残留しているかあるいは、排紙された紙が満載されている場合の処理を説明する。この図は、図９におけるＳ５５以前あるいは、図６における送信条件の設定（Ｓ２２）およびファクシミリ送信（Ｓ２５）に相当する。
【００７３】
まず、指定されたソータのビンに紙が残留しているかどうかをシート検出センサ２２０−２の検出結果に基づいて判定し（Ｓ７１）、紙が残留している場合は、指定するソータのビンが満載（１枚も出力できない状態）かどうかを前述したシートカウントの結果に基づいて判定する（Ｓ７２）。指定するソータのビンが満載でない場合は、指定するソータのビンに既に入っている紙の大きさを前記した記憶内容に基づいて判別する（Ｓ７３）。次にそのサイズがＡ４，ＬＴＲ，Ａ５等のスモールサイズかどうかを判断し（Ｓ７４）、スモールサイズの場合は、そのサイズのＲ系（シート長手方向にシート搬送）のサイズまたはその反対（シート短手方向にシート搬送）のサイズでシートに印刷する（Ｓ７５）。この際、画像の向きとシートの向きが異なる場合はシートの向きに合わせて画像を回転処理する。例えばソータに積載されているシートがＡ４（短手方向搬送）の場合はＡ４Ｒ（長手方向搬送）のタイプのシートに９０°回転処理した画像を印刷し、ソータの指定されたビンに排出する。
【００７４】
また、図１３に示すようにソータのビン２２０−１を排出方向に対して直角方向にシフトできる場合は、シートの向きを毎回異ならせる代わりにビンをシフトすれば同一ビン内のシート束がまざりあうことがない。その後図４のＳ１へリターンする。ビンシフトはモータ２２０−３により行う。
【００７５】
一方、図１２のＳ７２の判定で指定するソータのビンが満載の場合は、指定ビン満載の旨をＬＣＤ３０１に警告表示する。また、送信側ファクシミリ装置より指定ビン情報が送られた場合はその旨を送信側に送り返す（Ｓ７６）。ステップＳ７６の後と、ステップＳ７４の判定でスモールサイズではないと判定された場合は、他のビンに排出させるかどうかを操作パネルに表示し、使用者の判定を仰ぐ。送信側から指定ビン情報を送信された場合は、その旨を送信側に送信し、送信側ファクシミリ装置の指示を仰いでも良い（Ｓ７７）。ステップＳ７７の判定で「他のビンに排出」と、使用者あるいは送信側から指定された場合は、他の空ビンまたは最上ビンに排出させ（Ｓ７８）その旨を表示し、またはその旨送信側へ送信しリターンする。
【００７６】
一方、ステップＳ７７の判定で「他のビンに出力はしない」と、操作パネルあるいは送信側から指定された場合は、印刷を中止し（Ｓ７９）リターンする。
【００７７】
一方、Ｓ７１の判定で指定するソータのビンに紙が残留していない場合、ソータの指定ビンに排紙し（Ｓ８０）リターンする。
【００７８】
また、ステイプル不可能枚数等のソータの他のアラームも同様に使用者あるいは送信先に問い合わせて処理を行う。
【００７９】
上記実施例では、１個のビンを指定することを想定しているが、本発明はこれに限らず、複数のビンを指定する形で実施することもできる。
【００８０】
例えば、ファクシミリ部により受信した受信到着順で昇順，降順に複数ビンを指定する形で実施することができる。
【００８１】
また、複数部の画像を排出するときは、その部数に応じた複数ビン，排紙開始ビンおよびこれに続くビンを指定する形で実施することができる。
【００８２】
なおビン指定の処理は、コア部１０，プリンタ部ＣＯＮＴ２のいずれで行ってもよいが、外部装置３なしで動作させる場合を考慮すれば、プリンタ部ＣＯＮＴ２で処理する形で実施する方がよい。
【００８３】
本発明は、シート後処理手段でステイプルする形で実施することができ、この際、ビン指定とともにステイプル位置を指定する形で実施することができる。
【００８４】
【発明の効果】
以上説明したように、本発明によれば、複数のトレイ（或いはビン）のいずれにおいても、同一トレイ（或いは同一ビン）内でシート束が混ざり合うことがなく、ユーザは間違えることなくシート束を手にすることができ、画像形成されたシートが既に排出されたトレイ（或いはビン）に対して、新たに画像形成されるシートを排出する場合に、そのトレイ（或いはビン）に最後に排出されたシートと異なる状態で、該新たに画像形成されるシートを排出することができる。
【図面の簡単な説明】
【図１】実施例のブロック図
【図２】実施例におけるリーダ部，プリンタ部の構成を示す図
【図３】操作パネルの平面図
【図４】実施例の動作を示すフローチャート
【図５】コピーモードのフローチャート
【図６】ファクシミリ送信モードのフローチャート
【図７】ファイルモードのフローチャート
【図８】コンピュータ入力モードのフローチャート
【図９】ファクシミリ受信モードのフローチャート
【図１０】ソータのビン指定要求モードのフローチャート
【図１１】画像回転読出しの説明図
【図１２】指定ビンの状態に応じた処理を示すフローチャート
【図１３】ビンシフトを説明するソータの平面図
【符号の説明】
１  リーダ部
２  プリンタ部
４  ファクシミリ部
１０  コア部
２２０−１  排出ビン
【図１】
0003604771.tif 000002
【図２】
0003604771.tif 000003
【図３】
0003604771.tif 000004
【図４】
0003604771.tif 000005
【図５】
0003604771.tif 000006
【図６】
0003604771.tif 000007
【図７】
0003604771.tif 000008
【図８】
0003604771.tif 000009
【図９】
0003604771.tif 000010
【図１０】
0003604771.tif 000011
【図１１】
0003604771.tif 000012
【図１２】
0003604771.tif 000013
【図１３】
0003604771.tif 000014